(57)【要約】【課題】送風の到達性に優れ、サージング（バサバサ音、断続的異常音）を抑制することができる空気調和機を提供する。【解決手段】クロスフローファン４と、スタビライザ２６とリアガイダ２５からなる送風路２７と、熱交換器３と、熱交換器３で熱交換された空気を吹き出す吹出し口２８と、吹出し口２８に配され空気の上下の吹き出し方向を変える上下羽根２９と、吹出し口２８に配され空気の左右の吹き出し方向を変える左右羽根１０とを備え、リアガイダ２５の長手方向の中央部のリアガイダ２５ａを、曲げ支点１２を中心に回転曲げして、送風路２７を縮小、拡大するようにしたもので、吹き出し口２８の中央部を概正方形にして、送風の到達性を向上させることができる。また、送風路２７を縮小することで、送風性能の低下を最小限に抑えながら、静圧を向上させ、バサツキ音を防止することができる。【選択図】図２
2008157514.tif 000002
【特許請求の範囲】
【請求項１】
クロスフローファンと、スタビライザとリアガイダからなる送風路と、熱交換器と、前記熱交換器で熱交換された空気を吹き出す吹出し口と、前記吹出し口に配され前記空気の上下の吹き出し方向を変える上下羽根と、前記吹出し口に配され前記空気の左右の吹き出し方向を変える左右羽根とを備え、前記リアガイダの長手方向の中央部を変化させて、前記送風路を縮小、拡大するようにしたことを特徴とする空気調和機。
【請求項２】
クロスフローファンと、スタビライザとリアガイダからなる送風路と、熱交換器と、前記熱交換器で熱交換された空気を吹き出す吹出し口と、前記吹出し口に配され前記空気の上下の吹き出し方向を変える上下羽根と、前記吹出し口に配され前記空気の左右の吹き出し方向を変える左右羽根とを備え、前記スタビライザの長手方向の中央部を変化させて、前記送風路を縮小、拡大するようにしたことを特徴とする空気調和機。
【請求項３】
クロスフローファンと、スタビライザとリアガイダからなる送風路と、熱交換器と、前記熱交換器で熱交換された空気を吹き出す吹出し口と、前記吹出し口に配され前記空気の上下の吹き出し方向を変える上下羽根と、前記吹出し口に配され前記空気の左右の吹き出し方向を変える左右羽根とを備え、前記上下羽根を長手方向に３分割して、左右の上下羽根を閉じて、中央の上下羽根のみを開いた状態にすることを特徴とする空気調和機。
【請求項４】
上下羽根を長手方向に３分割して、中央の上下羽根をリアガイダの延長方向に配置したことを特徴とする請求項１又は２に記載の空気調和機。
【請求項５】
上下羽根を長手方向に３分割して、中央の上下羽根をスタビライザの延長方向に配置したことを特徴とする請求項１又は２に記載の空気調和機。
【請求項６】
左右羽根を２領域以上に分割して、左領域及び右領域を形成する左右羽根で、左右領域の吹出し口を閉じることを特徴とする請求項１〜５のいずれか１項に記載の空気調和機。
【発明の詳細な説明】
【技術分野】
【０００１】
本発明は、空気調和機に関するもので、特に、空気調和機の室内機に関するものである。
【背景技術】
【０００２】
従来の一般的な空気調和機について、図１２〜１４を用いて説明する。
【０００３】
図１２〜１４において、従来の空気調和機の室内機１は、本体台枠１１と、本体台枠１１内に設けられたクロスフローファン４と、前面に設けられた前面カバー１５と、前面カバー１５と本体台枠１１との間に設けられた吸込み口２と、吸込み口２の内側に着脱自在に設けられたエアフィルタ１３を備え、クロスフローファン４の働きで、吸込み口２およびその内側のエアフィルタ１３を通じて、室内空気が室内機１内に吸い込まれるようになっている。
【０００４】
吸い込まれた室内空気は、熱交換器３を経てそれとの間の熱交換により、冷房または暖房の運転モードに応じて冷却、または加熱された後、クロスフローファン４に吸い込まれる。クロスフローファン４に吸い込まれた熱交換後の空気は、クロスフローファン４の後部まわりにあるリアガイダ５と、クロスフローファン４の前側下部にあるスタビライザ６とで形成される送風路７を通じて、前面カバー１５と本体台枠１１との間に設けられた吹出し口８から室内に吹き出され、室内を冷房または暖房する。
【０００５】
室内機１は、吹出し口８の長手方向が、例えば図２に示すように左右に向くように設置され、吹出し口８に、吹き出される空気の吹出し方向を上下に変える上下羽根９が上下に複数設けられるとともに、前記吹出し方向を左右に変える左右羽根１０が、吹出し口８の長手方向に多数配設されている。このように空気の吹出し方向を変える風向調節のために、例えば、複数の上下羽根９は、軸９ａを中心に一体に上下回動できるように支持され、左右羽根１０はそれぞれ軸１０ｂによって左右回動できるように支持されている。
【０００６】
これにより左右羽根１０は、特に、それぞれの左右回動により、前記吹出し口８の長手方向各部に吹き出されてくる空気の吹出し方向を、吹出し口８の長手方向である左右に種々に変える通常モードの働きに併せ、吹出し口８の長手方向両側の部分の複数の左右羽根１０ｃを互いが閉じ合う位置に回動させることにより、吹出し空気を吹出し口８の閉じていない左右羽根１０ａのある中央部から集中して吹き出すように制御することが一般的な方法である。
【０００７】
従来の別な方法では、吹出し口８の長手方向両側の複数の左右羽根１０ｃを、互いが吹出し口８を閉じ合う位置に回動させるとともに、この閉じ合った左右羽根１０ｃどうしを、図１４に仮想線で示すように閉じていない左右羽根１０ａと並ぶ通常モード位置から、図１４に実線で示すような、吹出し口８の中央側から端側に向けて吹出し方向上流側に傾斜した案内面１０ｄを形成する集中吹出しモード位置に移動させ、吹出し口８の長手方向両側部分から吹き出されようとする空気を、前記傾斜した案内面１０ｄによって、吹出し口８の長手方向中央部に向け案内し、この中央部分から集中して室内に吹き出すように制御している（例えば、特許文献１参照）。
【特許文献１】特開平１０−２２７５１９号公報
【発明の開示】
【発明が解決しようとする課題】
【０００８】
しかしながら、前記従来の空気調和機の構成では、左右羽根１０ｃを互いが吹出し口８を閉じ合う位置に回転移動しても、隙間が発生して充分に流れを中央に集めることができない。すなわち、充分な風量にならず風速が増加しないため、床面への到達性能などが向上しない。また、中央の吹出し口８の形状が、概長方形となり風速が失速し易い。さらに、中央に空気の流れを集める事により、静圧が上昇してバサツキ音（サージング）を抑制する一方で、吹き出し口の通風抵抗が大きくなるという課題を有していた。
【０００９】
本発明は、前記従来の課題を解決するもので、送風の到達性を向上させ、送風性能の低下を最小限に抑えながら、バサツキ音を抑えることのできる空気調和機を提供することを目的とする。
【課題を解決するための手段】
【００１０】
前記従来の課題を解決するために、本発明の空気調和機は、クロスフローファンと、スタビライザとリアガイダからなる送風路と、熱交換器と、前記熱交換器で熱交換された空気を吹き出す吹出し口と、前記吹出し口に配され前記空気の上下の吹き出し方向を変える上下羽根と、前記吹出し口に配され前記空気の左右の吹き出し方向を変える左右羽根とを備え、前記リアガイダの長手方向の中央部を変化させて、前記送風路を縮小、拡大するようにしたもので、吹き出し口の中央部を概正方形にして、送風の到達性を向上させることができる。また、バサツキ音発生時には、送風路を縮小することで、送風性能の低下を最小限に抑えながら、静圧を向上させ、バサツキ音を防止することができる。
【００１１】
また、本発明の空気調和機は、クロスフローファンと、スタビライザとリアガイダからなる送風路と、熱交換器と、前記熱交換器で熱交換された空気を吹き出す吹出し口と、前記吹出し口に配され前記空気の上下の吹き出し方向を変える上下羽根と、前記吹出し口に配され前記空気の左右の吹き出し方向を変える左右羽根とを備え、前記スタビライザの長手方向の中央部を変化させて、前記送風路を縮小、拡大するようにしたもので、中央部の吹出し口がより概正方形になり、送風の到達性を向上させることができる。また、バサツキ音発生時には、送風路をより縮小することで静圧を向上させバサツキ音を防止することができる。
【００１２】
本発明の空気調和機は、クロスフローファンと、スタビライザとリアガイダからなる送風路と、熱交換器と、前記熱交換器で熱交換された空気を吹き出す吹出し口と、前記吹出し口に配され前記空気の上下の吹き出し方向を変える上下羽根と、前記吹出し口に配され前記空気の左右の吹き出し方向を変える左右羽根とを備え、前記上下羽根を長手方向に３分割して、左右の上下羽根を閉じて、中央の上下羽根のみを開いた状態にするもので、吹出し口の中央の形態を概正方形にするとともに、左右から吹き出される空気を、中央部に確実に集めることが可能となり、風速が増加して到達性を向上させることができる。
【発明の効果】
【００１３】
本発明の空気調和機は、送風の到達性を向上させ、送風性能の低下を最小限に抑えながら、バサツキ音を抑えることのできるものである。
【発明を実施するための最良の形態】
【００１４】
第１の発明は、クロスフローファンと、スタビライザとリアガイダからなる送風路と、熱交換器と、前記熱交換器で熱交換された空気を吹き出す吹出し口と、前記吹出し口に配され前記空気の上下の吹き出し方向を変える上下羽根と、前記吹出し口に配され前記空気の左右の吹き出し方向を変える左右羽根とを備え、前記リアガイダの長手方向の中央部を変化させて、前記送風路を縮小、拡大するようにしたもので、吹き出し口の中央部を概正方形にして、送風の到達性を向上させることができる。また、バサツキ音発生時には、送風路を縮小することで、送風性能の低下を最小限に抑えながら、静圧を向上させ、バサツ
キ音を防止することができる。
【００１５】
第２の発明は、クロスフローファンと、スタビライザとリアガイダからなる送風路と、熱交換器と、前記熱交換器で熱交換された空気を吹き出す吹出し口と、前記吹出し口に配され前記空気の上下の吹き出し方向を変える上下羽根と、前記吹出し口に配され前記空気の左右の吹き出し方向を変える左右羽根とを備え、前記スタビライザの長手方向の中央部を変化させて、前記送風路を縮小、拡大するようにしたもので、中央部の吹出し口がより概正方形になり、送風の到達性を向上させることができる。また、バサツキ音発生時には、送風路をより縮小することで静圧を向上させバサツキ音を防止することができる。
【００１６】
第３の発明は、クロスフローファンと、スタビライザとリアガイダからなる送風路と、熱交換器と、前記熱交換器で熱交換された空気を吹き出す吹出し口と、前記吹出し口に配され前記空気の上下の吹き出し方向を変える上下羽根と、前記吹出し口に配され前記空気の左右の吹き出し方向を変える左右羽根とを備え、前記上下羽根を長手方向に３分割して、左右の上下羽根を閉じて、中央の上下羽根のみを開いた状態にするもので、吹出し口の中央の形態を概正方形にするとともに、左右から吹き出される空気を、中央部に確実に集めることが可能となり、風速が増加して到達性を向上させることができる。
【００１７】
第４の発明は、特に、第１又は第２の発明の上下羽根を長手方向に３分割して、中央の上下羽根をリアガイダの延長方向に配置したもので、上下羽根に付着する流れを形成（ディフューザ効果）して、さらに送風の到達性を向上させることができる。
【００１８】
第５の発明は、特に、第１又は第２の発明の上下羽根を長手方向に３分割して、中央の上下羽根をスタビライザの延長方向に配置したもので、上下羽根に付着する流れを形成（ディフューザ効果）して、暖気の押さえ込み（暖気の上昇を抑制）を促進させて、床面への送風の到達性を向上させる。
【００１９】
第６の発明は、特に、第１〜５のいずれか一つの発明の左右羽根を２領域以上に分割して、左領域及び右領域を形成する左右羽根で、左右領域の吹出し口を閉じるもので、左右の流れを円滑に中央に集めることができ、騒音の上昇を抑制することができる。
【００２０】
以下、本発明の実施の形態について図面に基づいて説明する。なお、本実施の形態によって、本発明が限定されるものではない。
【００２１】
（実施の形態１）
図1は、本発明の第１の実施の形態における空気調和機の室内機の斜視図、図２は、図１のＡ−Ａ断面図、図３は、同室内機の正面図である。なお、上記従来例と同一部分には同一符号を付してその説明を省略する。
【００２２】
図１において、本実施の形態における空気調和機の室内機１は、台枠１１と、この台枠１１の前方に取り付けられた前面カバー１５と、台枠１１および前面カバー１５の上部に配された吸い込みグリル１６と、リアガイダ２５とスタビライザ２６からなる送風路２７と、リアガイダ２５の長手方向の中央部に位置すると共に、送風路２７の途中に設けた曲げ支点１２を中心に回転曲げができる可動リアガイダ２５ａを備えている。
【００２３】
曲げ支点１２を中心に、可動リアガイダ２５ａを回転曲げすることにより、送風路２７の曲げ支点１２から下流側を縮小及び拡大することができる。
【００２４】
以上のように本実施の形態によれば、中央部の吹出し口２８が可動リアガイダ２５ａによって、略正方形の形となり、送風の到達性を向上させることができる。
【００２５】
また、可動リアガイダ２５ａを回転曲げして送風路２７を縮小することで、静圧を向上させバサツキ音を防止することができる。
【００２６】
（実施の形態２）    
図４は、本発明の第２の実施の形態における空気調和機の室内機の断面図（図１のＡ−Ａ断面）、図５は、同室内機の正面図である。なお、上記第１の実施の形態と同一部分には同一符号を付してその説明を省略する。
【００２７】
本実施の形態は、図４に示すように、スタビライザ２６の長手方向の中央部に位置すると共に、送風路２７の途中に設けた曲げ支点１４を中心に回転曲げできる可動スタビライザ２６ａを設けて、送風路２７の曲げ支点１４から下流側を縮小及び拡大できるようにしたものである。
【００２８】
以上のように本実施の形態によれば、中央部の吹出し口２８が可動スタビライザ２６ａによって、概正方形の形になるので、送風の到達性を向上させることができる。
【００２９】
また、可動スタビライザ２６ａを回転曲げして、送風路２７を縮小することで、静圧を向上させバサツキ音を防止することができる。
【００３０】
（実施の形態３）
図６は、本発明の第３の実施の形態における空気調和機の室内機の断面図（図１のＡ―Ａ断面）、図７は、同室内機の断面図（図１のＢ―Ｂ断面）、図８は、同室内機の正面図である。なお、上記実施の形態と同一部分には同一符号を付してその説明を省略する。
【００３１】
本実施の形態は、吹出し口２８に搭載され吹き出される気流の上下方向を変更する上下羽根２９を、長手方向に、左右の上下羽根２９Ｌ、２９Ｒと、中央部の上下羽根２９Ｃとに３分割して、図7に示すように左右の上下羽根２９Ｌ、２９Ｒを閉じて、図6に示すように中央の上下羽根２９Ｃを開いた状態にするものである。
【００３２】
以上のように本実施の形態によれば、図８に示すように、中央の吹出し口２８の形態を概正方形にするとともに、左右から吹き出される空気を、中央部に確実に集めることが可能となり、それによって、風速が増加して送風の到達性を向上させることができる。
【００３３】
（実施の形態４）
図９は、本発明の第４の実施の形態における空気調和機の室内機の断面図である（図１のＡ―Ａ断面）。なお、上記実施の形態と同一部分には同一符号を付してその説明を省略する。
【００３４】
本実施の形態は、吹出し部２８に搭載されている気流変更用の上下羽根２９を長手方向に３分割した内の中央部分の上下羽根２９Ｃを、可動リアガイダ２５ａの延長方向に配置すると共に、可動リアガイダ２５ａを、送風路２７の途中から曲げ支点１２を中心に回転曲げして、中央の吹出し口２８を拡大させて概正方形の形状にすることができるようにしたものである。
【００３５】
以上のように本実施の形態によれば、上下羽根２９に付着する流れを形成（ディフューザ効果）して、さらに送風の到達性を向上させることができる。
【００３６】
（実施の形態５）
図１０は、本発明の第５の実施の形態における空気調和機の室内機の断面図（図１のＡ
―Ａ断面）である。なお、上記実施の形態と同一部分には同一符号を付してその説明を省略する。
【００３７】
本実施の形態は、吹出し部２８に搭載されている気流変更用の上下羽根２９を長手方向に３分割した内の中央部分の上下羽根２９Ｃを、可動スタビライザ２６ａの延長方向に配置すると共に、可動スタビライザ２６ａを、送風路２７の途中から曲げ支点１４を中心に回転曲げして、中央の吹出し口２８を拡大させて概正方形の形状にすることができるようにしたものである。
【００３８】
以上のように本実施の形態によれば、上下羽根２９に付着する流れを形成（ディフューザ効果）して、暖気の押さえ込み（暖気の上昇を抑制）を促進させて、床面への送風の到達性を向上させることができる。  
【００３９】
（実施の形態６）  
図１１は、本発明の第６の実施の形態における空気調和機の室内機の断面図（図１のＡ−Ａ断面）である。なお、上記従来例及び上記実施の形態と同一部分には同一符号を付してその説明を省略する。また、本実施の形態における空気調和機の正面から見た図は、従来の空気調和機と同一である（図１３）。
【００４０】
本実施の形態は、可動リアガイダ２５ａ及び可動スタビライザ２６ａが、送風路２７の途中からそれぞれ曲げ支点１２、曲げ支点１４を中心に回転曲げできるようにすると共に、風向変更羽根１０を、従来と同様に回動できるようにし、可動リアガイダ２５ａ及び可動スタビライザ２６ａの延長上に設置したものである。
【００４１】
上記構成により、ディフューザの効果により、動圧を回収することができ低入力化を図ることができる。
【００４２】
すなわち、吹出し口２８に搭載されている気流変更用の左右羽根１０を２領域以上に分割して、左領域及び右領域を形成する左右羽根１０Ｃによって、左右領域の吹出し口２８を閉じさせる。これにより、左右の流れを円滑に中央に集めることができ、騒音の上昇を抑制することができる。
【産業上の利用可能性】
【００４３】
以上のように、本発明にかかる空気調和機は、送風の到達性の向上とサージング（バサバサ音、断続的異常音）を抑制することができるもので、家庭用、業務用空気調和機や、一体型の空気調和機に広く適用できる。
【図面の簡単な説明】
【００４４】
【図１】本発明の第１の実施の形態における空気調和機の室内機の斜視図
【図２】図1のＡ−Ａ断面図
【図３】同室内機の正面図
【図４】本発明の第２の実施の形態における空気調和機の室内機の断面図（図１のＡ−Ａ断面）
【図５】同室内機の正面図
【図６】本発明の第３の実施の形態における空気調和機の室内機の断面図（図１のＡ−Ａ断面）
【図７】同室内機の断面図（図１のＢ−Ｂ断面）
【図８】同室内機の正面図
【図９】本発明の第４の実施の形態における空気調和機の室内機の断面図（図１のＡ−Ａ断面）
【図１０】本発明の第５の実施の形態における空気調和機の室内機の断面図（図１のＡ−Ａ断面）
【図１１】本発明の第６の実施の形態における空気調和機の室内機の断面図（図１のＡ−Ａ断面）
【図１２】従来の空気調和機の室内機の断面図
【図１３】同室内機の正面図
【図１４】同室内機の集中吹出しモードを示す図
【符号の説明】
【００４５】
１    室内機
２    吸込み口
３    熱交換器
４    クロスフローファン
１０    左右羽根
１１    本体台枠
１２、１４  曲げ支点
１３    エアフィルタ
２５    リアガイダ
２５ａ  可動リアガイダ
２６    スタビライザ
２６ａ  可動スタビライザ
２７    送風路
２８    吹出し口
２９    上下羽根
【図１】
2008157514.tif 000003
【図２】
2008157514.tif 000004
【図３】
2008157514.tif 000005
【図４】
2008157514.tif 000006
【図５】
2008157514.tif 000007
【図６】
2008157514.tif 000008
【図７】
2008157514.tif 000009
【図８】
2008157514.tif 000010
【図９】
2008157514.tif 000011
【図１０】
2008157514.tif 000012
【図１１】
2008157514.tif 000013
【図１２】
2008157514.tif 000014
【図１３】
2008157514.tif 000015
【図１４】
2008157514.tif 000016